(57)【特許請求の範囲】
【請求項１】
格子状の上部スラブ筋の一部と、格子状の下部スラブ筋の一部とにわたって波形のラチス筋が配筋され、該ラチス筋の波の間隔と整数比になる位置に球形の軽量材が配設され、該軽量材の頂部が上部スラブ筋の格子部に挿入され、軽量材の下端部が下部スラブ筋の格子部に挿入されたことを特徴とする中空スラブ。
【請求項２】
上部スラブ筋の一部と下部スラブ筋の一部とにわたって波形のラチス筋が配筋され、前記上部スラブ筋と下部スラブ筋との間に軽量材が配設されたことを特徴とする中空スラブ。
【請求項３】
軽量材は中空の球体であることを特徴とする請求項２に記載の中空スラブ。
【発明の詳細な説明】
【０００１】
【発明の属する技術分野】
本発明は中空スラブに関するものである。
【０００２】
【従来の技術】
近年、図１４に示すように、軽量化を図るために軽量材３２を埋設した中空スラブ３３が構築されている。
【０００３】
【発明が解決しようとする課題】
しかし、上記のような中空スラブにおいては、トラス筋の弦材が仮設補強扱いであり、かつこのトラス筋により軽量材を密に配設することができなかった。
【０００４】
本発明は上記のような問題に鑑みてなされたものであり、その目的は、軽量材を効率良く配設でき、かつトラス筋を経済的に設置できる中空スラブを提供することである。
【０００５】
以上の課題を達成するための中空スラブは、格子状の上部スラブ筋の一部と、格子状の下部スラブ筋の一部とにわたって波形のラチス筋が配筋され、該ラチス筋の波の間隔と整数比になる位置に球形の軽量材が配設され、該軽量材の頂部が上部スラブ筋の格子部に挿入され、軽量材の下端部が下部スラブ筋の格子部に挿入されたことを特徴とする。
また中空スラブは、上部スラブ筋の一部と下部スラブ筋の一部とにわたって波形のラチス筋が配筋され、前記上部スラブ筋と下部スラブ筋との間に軽量材が配設されたことを特徴とする。また軽量材は中空の球体であることを含むものである。
【０００６】
上下のスラブ筋の間に、上下のスラブ筋の一部とラチス筋によって、トラス筋を形成することができるのでトラス筋の弦材を省略することができる。ラチス筋の波の間隔と整数比になる位置に軽量材が配設されたことにより、軽量材を密に配設することができるので、中空スラブの軽量化を図ることができる。
【０００７】
【発明の実施の形態】
以下、本発明のスラブの実施の形態を図面に基づいて詳細に説明する。各実施の形態において同じ構成は同じ符号を付して説明し、異なった構成にのみ異なった符号を付して説明する。
【０００８】
図１は、第１の実施の形態のスラブ１を示したものである。このスラブ１は、上下のスラブ筋３の一部が波形のラチス筋４で適宜間隔をもって接合され、これらのスラブ筋２、３の間に、中空かつ球状の軽量材５が配設されて構成されている。
【０００９】
また上下のスラブ筋２、３は、縦筋２ａ、３ａと横筋２ｂ、３ｂで格子状に形成され、これらの格子部２ｃ、３ｃに軽量材の頂部５ａまたは下端部５ｂがそれぞれ挿入されている。また上部スラブ筋２の一本の縦筋２ａと、下部スラブ筋３の二本の縦筋３ａとが波形のラチス筋４で接合されて断面三角形のトラス筋６が構成され、ラチス筋４の波のピッチと１：１の位置に軽量材５が配設された状態になっている。よって、軽量材５の上下部が上下のスラブ筋２、３で支持されるとともに、側部もスラブ筋２、３で支持されている。このようにトラス筋６がスラブ筋の縦筋２ａ、３ａを利用して形成されているため、トラス筋６の弦材を別途配筋する必要がない。
【００１０】
また図２は、第２の実施の形態のスラブ７を示したものである。このスラブ７は、上部スラブ筋の上側の縦筋２ａと、下部スラブ筋の下側の縦筋３ａがラチス筋４で接合されたものであり、これ以外は上記の中空スラブ１と同じ構成で、かつ同じ効果を奏する。したがって、ラチス筋４の上下部が、上下のスラブ筋の横筋２ｂ、３ｂから突出した状態になっている。
【００１１】
また図３および４は、第３および４の実施の形態のスラブ８、９を示したものである。これらのスラブ８、９は、ラチス筋４の上部または下部のみが、上部または下部のスラブ筋２、３の横筋２ｂ、３ｂから突出したものであり、これ以外は上記スラブ１と同じ構成であり、同じ効果を奏する。
【００１２】
また図５は、第５の実施の形態のスラブ１０を示したものである。このスラブ１０は、上下のスラブ筋２、３がラチス筋４で接合されて構成されたものであり、これ以外は上記のスラブ１と同じ構成である。これは上部スラブ筋における一本の縦筋２ａと、下部スラブ筋における一本の縦筋３ａとが波形のラチス筋４で接合されて、いわゆるシングルトラス１１を形成している。
【００１３】
また図６〜８は、第６〜８の実施の形態のスラブ１２、１３、１４を示したものである。これらのスラブ１２、１３、１４は、図２〜４のスラブ７、８、９に対応したものである。このうち図６のスラブ１２は、ラチス筋４の上下部がスラブ筋の横筋２ｂ、３ｂから突出したものである。また図７および８のスラブ１３、１４は、ラチス筋４の上部または下部のみが、上部または下部におけるスラブ筋の横筋２ｂ、３ｂから突出したものである。
【００１４】
また図９は、第９の実施の形態のスラブ１５を示したものである。このスラブ１５は、ラチス筋の波のピッチと１：２の位置に軽量材５が配設されたものであり、これ以外はスラブ１と同じ構成である。このように軽量材５同士を密接させると、スラブの空隙率を高めることができる。
【００１５】
また図１０は、第１０の実施の形態のスラブ１６を示したものである。このスラブ１６は、上部スラブ筋における一本の縦筋２ａと、下部スラブ筋における一本の縦筋３ａとが波形のラチス筋４で接合され、かつラチス筋４の波のピッチと１：２の位置に軽量材５が配設されたものであり、これ以外はスラブ１０と同じ構成である。このスラブ１６も前記と同じ効果を奏する。
【００１６】
また図１１は、第１１の実施の形態のスラブ１７を示したものである。このスラブ１７は、連通孔２０のある突起１８を軽量材５の下面に設けたものであり、これ以外はスラブ１と同じ構成である。この突起１８により、スラブ１７を構築する際のコンクリートの打設による軽量材５の浮き上がりを抑えることができる。また連通孔２０により中空部１９と外部とを連通させることができる。
【００１７】
また上記の実施の形態のスラブ１、７、８、９、１０、１２、１３、１４、１５、１６、１７において、軽量材５はすべて中空の球体であるが、本発明はこれに限定されるものではなく、多面体にすることもできる。
【００１８】
また上記の実施の形態のスラブ１、７、８、９、１０、１２、１３、１４、１５、１６、１７において軽量材５は、ラチス筋の波のピッチと整数比の位置に配設されているが、このような配設でないスラブを構築することもできる。
【００１９】
また図１２は、スラブ１の構築方法を示したものである。はじめに、埋込材ユニット２１を工場または現場で製作する。そして、この埋込ユニット２１をクレーン２５で吊り上げてスラブ型枠２９内に設置する。そして、このスラブ型枠２９内にコンクリート２６を打設し、これが硬化した後に脱型すると、図１に示すスラブ２８が完成する。この構築方法は、軽量材５の浮き上がりを抑えることができるという効果を奏する。また上記のスラブ７、８、９、１０、１２、１３、１４、１５、１６、１７も上記と同じ方法で製造する。
【００２０】
また図１３は、スラブの他の構築方法を示したものであり、図中の（１）に示すプレキャストコンクリート板３０を製作し、これを梁間に設置して上部スラブ筋２を配筋してトップコンクリート３１を打設するものである。
【００２１】
【発明の効果】
上下のスラブ筋の間に、上下のスラブ筋の一部とラチス筋によって、トラス筋を形成することができるのでトラス筋の弦材を省略することができる。
【００２２】
ラチス筋の波の間隔と整数比になる位置に軽量材が配設されたことにより、軽量材を密に配設することができるので、中空スラブの軽量化を高めることができる。
【図面の簡単な説明】
【図１】   第１の実施の形態のスラブを示し、（１）は平面図、（２）はＡ−Ａ線断面図、（３）はＢ−Ｂ線断面図である。
【図２】（１）および（２）は第２の実施の形態のスラブの断面図である。
【図３】（１）および（２）は第３の実施の形態のスラブの断面図である。
【図４】（１）および（２）は第４の実施の形態のスラブの断面図である。
【図５】第５の実施の形態のスラブの断面図である。
【図６】第６の実施の形態のスラブの断面図である。
【図７】第７の実施の形態のスラブの断面図である。
【図８】第８の実施の形態のスラブの断面図である。
【図９】（１）および（２）は第９の実施の形態のスラブの断面図である。
【図１０】 （１）および（２）は第１０の実施の形態のスラブの断面図である。
【図１１】第１１の実施の形態のスラブを示し、（１）および（２）は断面図、（３）は軽量材の断面図である。
【図１２】（１）〜（３）はスラブの構築方法の断面図である。
【図１３】（１）〜（３）はスラブの他の構築方法の断面図である。
【図１４】（１）および（２）は従来の中空のスラブの断面図である。
【符号の説明】
１、７、８、９、１０、１２、１３、１４、１５、１６、１７、３３  中空スラブ
２  上部スラブ筋
２ａ、３ａ  縦筋
２ｂ、３ｂ  横筋
２ｃ、３ｃ  格子部
３  下部スラブ筋
４  ラチス筋
４ａ  頂部
４ｂ  谷部
５、３２  軽量材
６、１１  トラス筋
１８  突起
１９  中空部
２０  連通孔
２１  埋込材ユニット
２５  クレーン
２６  コンクリート
２９  スラブ型枠
３０  プレキャストコンクリート板
３１  トップコンクリート
【図１】
0004185676.tif 000002
【図２】
0004185676.tif 000003
【図３】
0004185676.tif 000004
【図４】
0004185676.tif 000005
【図５】
0004185676.tif 000006
【図６】
0004185676.tif 000007
【図７】
0004185676.tif 000008
【図８】
0004185676.tif 000009
【図９】
0004185676.tif 000010
【図１０】
0004185676.tif 000011
【図１１】
0004185676.tif 000012
【図１２】
0004185676.tif 000013
【図１３】
0004185676.tif 000014
【図１４】
0004185676.tif 000015